(57)【特許請求の範囲】
【請求項１】
ハウジング縁係合溝１、２を端寄り個所にもつ接続すべき両管３、４の端部外周面に跨ぎ渡る状態で使用されるリング状ガスケット５と、このガスケット５を抱持する状態および上記ハウジング縁係合溝１、２の縁６、７に両側係合縁８、９が係止した状態で互いに連結固定させて使用される一対のハウジング１０、１１とを備えたハウジング型管継手の組付け作業時に用いる補助具であって、全体の形状が上記ハウジング縁係合溝１、２の内部と同じ若しくは略同じ形状を呈し且つ開閉して上記ハウジング縁係合溝内に嵌合・脱去するための切れ離れ部１３を途中個所に設けて成ることを特徴とするハウジング型管継手の組付け作業用補助具。
【発明の詳細な説明】
【０００１】
【産業上の利用分野】
本発明は、ガスケットを挿し込むときに当該ガスケットに損傷を与えないようにするために使用するハウジング型管継手の組付け作業用補助具に関するものである。
【０００２】
【従来の技術】
従来、ハウジング縁係合溝１、２を端寄り個所にもつ接続すべき両管３、４の端部外周面に跨ぎ渡る状態で使用されるリング状ガスケット５と、このガスケット５を抱持する状態および上記ハウジング縁係合溝１、２の縁６、７に両側係合縁８、９が係止した状態で互いに連結固定させて使用される一対のハウジング１０、１１とを備えたハウジング型管継手の組付け作業は、次のようにして行っている。
【０００３】
先ず、図９に示すように一方の管３の端部にガスケット５を、その一方リッ
プ部１４がハウジング縁係合溝１に落ち嵌るところまで且つ他方リップ部１５が同管３の端部外面に被さり嵌るところまで移動し、次いで図１０に示すように他方の管４の端面と上記一方管３の端面とを突き合せの状態とすると共にこの突き合せの状態のままにおいて図１１に示すように上記ガスケット５を、他方リップ部１５が他方管４の端部外面に被さり嵌るところまで且つ一方リップ部１４がハウジング縁係合溝１を脱して一方管３の端部のところまで戻し、この戻し状態おいて図１２に示すように一対のハウジング１０、１１を両管３、４の端部に被せ嵌めてガスケット５を抱持した状態および上記ハウジング縁係合溝１、２の縁６、７が両側係合縁８、９に係止した状態で当該両ハウジング１０、１１を互いに連結固定させる。
【０００４】
上記のようなハウジング型管継手の組付け作業は、長年に亘って行われて来たが、熟練者でも容易に行えるようなことではなく、往々にガスケットの内面に視認できない小さな挿し込み傷や戻し傷をつくってしまうという問題点があった。
【０００５】
本発明者は、上記問題点を皆無もしくは少なくするために試行錯誤して本発明を案出したものである。
【０００６】
【発明が解決しようとする課題】
本発明は、上記問題点を解消するのに用いて好都合な新規のハウジング型管継手の組付け作業用補助具を提供することを目的とするものである。
【０００７】
【課題を解決するための手段】
上記目的を達成するために本発明に係るハウジング型管継手の組付け作業用補助具は、ハウジング縁係合溝１、２を端寄り個所にもつ接続すべき両管３、４の端部外周面に跨ぎ渡る状態で使用されるリング状ガスケット５と、このガスケット５を抱持する状態および上記ハウジング縁係合溝１、２の縁６、７に両側係合縁８、９が係止した状態で互いに連結固定させて使用される一対のハウジング１０、１１とを備えたハウジング型管継手の組付け作業時に用いる補助具であって、全体の形状が上記ハウジング縁係合溝１、２の内部と同じ若しくは略同じ形状を呈し且つ開閉して上記ハウジング縁係合溝内に嵌合・脱去するための切れ離れ部１３を途中個所に設けてなることを特徴とするものである。
【０００８】
【実施例】
図１〜８に示す本発明の実施例は、僅かの弾性を備えたプラスチックを以て全体の形状が上記ハウジング縁係合溝１の内部と同じ形状を呈し且つ開閉して上記ハウジング縁係合溝内に嵌合・脱去するための切れ離れ部１３を途中個所に設けた、ハウジング型管継手の組付け作業用補助具１７を上記ハウジング縁係合溝１である。
【０００９】
このハウジング型管継手の組付け作業用補助具１７は、これをハウジング縁係合溝１に嵌合した場合に、その外周面と一方管３の外周面とが同じ高さ、あるいは一方管３の外周面の方が僅かに高くなる厚さとすることがのぞましく、これによって後述するハウジング型管継手の組付け作業用補助具１７の移動操作、戻し操作がスムーズになり、作業能率をアップできるようになる。
【００１０】
上記実施例に係るハウジング型管継手の組付け作業用補助具１７は、例えば次に説明する図８に示すようなハウジング型管継手の組付け状態を確保するのに使用される。
【００１１】
すなわち、具体的には接続すべき両管３、４の端部外面に跨ぎ渡るリング状ガスケット５と、このガスケット５を抱持する状態で互いに連結固定される一対のハウジング１０、１１とを以て一方管３と他方管４を連結する場合に使用されるものである。
【００１２】
なお、上記ガスケット５は、断面が台形状であって、その内面部の中央部には奥拡がりの溝１８が形成されており、この溝１８の両側のリップ部分１４、１５に流体圧がかゝることで、当該リップ部分１４、１５が管３、４の外面に密接されるもので、所謂セルフシールタイプに構成されている（図２参照）。
【００１３】
一方、上記ハウジング１０、１１のそれぞれは、その内面が接続すべき管３、４の外面に接する幅狭の半円筒状部材２１の両外側にボルトの挿通孔２３が形成されたフランジ２６、２７を連設すると共にこの半円筒状部材２１の幅方向中央部に、ガスケット５を上記リップ部分１４、１５がやゝ突出する状態に嵌入する凹溝２５を設けて構成し、そしてこの凹溝２５にガスケット５を嵌合抱持させるように、上記一対のハウジング１０、１１の両端のフランジ２６、２７を互いに重ね合わせると共にこのハウジング１０、１１をボルト２８、２９で連結して固定する（図２参照）。
【００１４】
次いで、本発明に係るハウジング型管継手の組付け作業用補助具を使用して行うハウジング型管継手の組付け作業例を説明する。
【００１５】
先ず、図３に示すように一方の管３の端部にあるハウジング縁係合溝１に本発明に係るハウジング型管継手の組付け作業用補助具１７を、切れ離れ部１３で開いてから放す操作により落とし込み状態に嵌め（第１工程）、然るのち図４に示すように一方の管３の端部にガスケット５を、その一方リップ部１４が本発明に係るハウジング型管継手の組付け作業用補助具１７の上に載った状態なるところまで且つ他方リップ部１５が同管３の端部外面に被さり嵌るところまで移動し（第２工程）、次いで図５に示すように他方の管４の端面と上記一方管３の端面とを突き合せの状態とする（第３工程）と共にこの突き合せの状態のままにおいて図６に示すように上記ガスケット５を、他方リップ部１５が他方管４の端部外面に被さり嵌るところまで且つ一方リップ部１４が一方管３の端部のところまで戻し（第４工程）、この戻し後に図７に示すように本発明に係るハウジング型管継手の組付け作業用補助具１７を脱去する（第５工程）と共に当該脱去ののちに戻し状態のガスケット５に一対のハウジング１０、１１を図８に示すように被せ嵌めてガスケット５を抱持した状態および上記ハウジング縁係合溝１、２の縁６、７を両側係合縁８、９に係止した状態とし、当該両ハウジング１０、１１の両端を互いにボルト２８、２９で連結固定する。
【００１６】
【発明の効果】
本発明に係るハウジング型管継手の組付け作業用補助具は、上記のように、ハウジング縁係合溝１、２を端寄り個所にもつ接続すべき両管３、４の端部外周面に跨ぎ渡る状態で使用されるリング状ガスケット５と、このガスケット５を抱持する状態および上記ハウジング縁係合溝１、２の縁６、７に両側係合縁８、９が係止した状態で互いに連結固定させて使用される一対のハウジング１０、１１とを備えたハウジング型管継手の組付け作業時に用いる補助具であって、全体の形状が上記ハウジング縁係合溝１、２の内部と同じ若しくは略同じ形状を呈し且つ開閉して上記ハウジング縁係合溝内に嵌合・脱去するための切れ離れ部１３を途中個所に設けて成るので、これを上記のように使用することによって、熟練者でなくとも容易に組付け作業を行うことができるようになり、しかもガスケットの内面に視認できないような小さな挿し込み傷や戻し傷をつくってしまうことを皆無もしくは少なくすることができるものであって、所期の目的を完全に達成する著効を奏するものである。
【図面の簡単な説明】
【図１】本発明の実施例を示す斜視図である。
【図２】同実施例を使用して組付け作業を施す配管の分解斜視図である。
【図３】同実施例を使用して行う組付け作業の第１工程を示す拡大断面図である。
【図４】同じく第２工程を示す拡大断面図である。
【図５】同じく第３工程を示す拡大断面図である。
【図６】同じく第４工程を示す拡大断面図である。
【図７】同じく第５工程を示す拡大断面図である。
【図８】同じく完了状態を示す拡大断面図である。
【図９】従来例を使用して行う組付け作業の第１工程を示す拡大断面図である。
【図１０】同じく第２工程を示す拡大断面図である。
【図１１】同じく第３工程を示す拡大断面図である。
【図１２】同じく完了状態を示す拡大断面図である。
【符号の説明】
１  ハウジング縁係合溝
２  ハウジング縁係合溝
３  一方管
４  他方管
５  ガスケット
６  縁
７  縁
８  係合縁
９係合縁
１０  ハウジング
１１  ハウジング
１３  切れ離れ部
１４  一方リップ部
１５  他方リップ部
１７組付け作業用補助具
１８  溝
２１  半円筒状部材
２３  挿通孔
２５  凹溝
２６  フランジ
２７  フランジ
２８  ボルト
２９  ボルト
【図１】
0003838936.tif 000002
【図２】
0003838936.tif 000003
【図３】
0003838936.tif 000004
【図４】
0003838936.tif 000005
【図５】
0003838936.tif 000006
【図６】
0003838936.tif 000007
【図７】
0003838936.tif 000008
【図８】
0003838936.tif 000009
【図９】
0003838936.tif 000010
【図１０】
0003838936.tif 000011
【図１１】
0003838936.tif 000012
【図１２】
0003838936.tif 000013